(57)【特許請求の範囲】
【請求項１】
リフレッシュサイクル時間を有するアクティブマトリックス発光ダイオード（ＡＭＬＥＤ）ディスプレイの複数のピクセルの行におけるピクセルを調光するシステムであって、
電圧源とグランドの間に、直列に結合された第１のスイッチと、
前記第１のスイッチと直列に接続された、第２のスイッチと、
前記第１の及び第２のスイッチとグランドの間に、直列に接続された発光ダイオード（ＬＥＤ）と、
ピクセル行のプログラミングタイミング遅延の倍数（multiple of）と等しい第２の時間の経過後に、前記第１のスイッチを、ずらされた態様で動作させることによって、第１の指定された時間に対して、前記ＬＥＤを起動するように構成された、第１のパルス幅変調（ＰＷＭ）ドライバであって、当該ピクセル行のプログラミングタイミング遅延の倍数が、前の行のピクセルを照射するＬＥＤの起動から起算されるものと、
前記第１の指定された時間が経過した後に、前記第２のスイッチを動作させることによって前記ＬＥＤを消すように構成された第２のＰＷＭドライバであって、
当該第１の指定された時間が、前記リフレッシュサイクル時間より短いものと、
を備えるシステム。
【請求項２】
電圧源及びグランドを備える、リフレッシュサイクル及び当該リフレッシュサイクル内に設定されたブランキング期間において動作するアクティブマトリックス発光ダイオードディスプレイ上のピクセルのアレイを調光するシステムであって、
前記電圧源と前記グランドとの間に接続される複数の行を形成する複数のＬＥＤと、
複数のパルス幅変調（ＰＷＭ）ドライバであって、該ＰＷＭドライバの１つが、前記複数の行の内の１つの行内の前記ＬＥＤのそれぞれに接続されると共に、前記リフレッシュサイクルの指定された部分の間に、前記複数のＬＥＤの１つを起動するように構成されており、ＬＥＤの異なった行において各ＬＥＤを起動することが、行プログラミング時間遅延の倍数（multiple of）だけ、その前の(previous)行の起動から、ずらされている、複数のパルス幅変調（ＰＷＭ）ドライバと、
前記複数の行の各行中の前記複数のＬＥＤのそれぞれに接続され、前記ブランキング期間の少なくとも一部の間に、前記複数のＬＥＤの各々を同時に起動するように構成される
グローバルＰＷＭドライバと
を備えることを特徴とするシステム。
【請求項３】
アクティブマトリックス発光ダイオードディスプレイ上で複数の行を形成するピクセルのアレイを調光する方法であって、
ずらされた態様で、複数の行に電流を供給するステップであって、当該電流が、リフレッシュサイクルの第１の部分に対して、第１のパルス幅変調（ＰＷＭ）ドライバを介して、複数のＬＥＤの第１の行の各ＬＥＤに供給されるものと、
前記リフレッシュサイクルの第２の部分に対して、第２のＰＷＭドライバを介して、オン／オフ及びオフ／オンの遷移が前記第２の部分において実行されるように前記第１の行の各ＬＥＤに電流を供給するステップであって、前記リフレッシュサイクルの当該第２の部分が、どのピクセルもプログラミングされていない期間であるものと、
を含むことを特徴とする方法。
【発明の詳細な説明】
【技術分野】
【０００１】
本発明は、包括的には発光ダイオード（ＬＥＤ）に関し、より詳細には、ＬＥＤのアクティブマトリックスアレイを調光する装置、システム及び方法に関する。
【背景技術】
【０００２】
図１は、アクティブマトリックス発光ダイオード（ＡＭＬＥＤ）ディスプレイの従来のピクセル１００の回路図である。ピクセル１００は、発光ダイオード（ＬＥＤ）１０５（たとえば、有機ＬＥＤ又は他のタイプのＬＥＤ）と、列ドライバ１０８と、行ドライバ１１０及び１１５（それぞれ接地される）と、電圧源１２０及び１２５（それぞれ接地される）と、キャパシタ１３０と、スイッチ１４２、１４４、１４６及び１４８（たとえば、半導体スイッチ）とを備える。
【０００３】
ＬＥＤ１０５のカソードは、電圧源１２０の負の端子に接続される（正の端子は接地される）か、又は直に接地され、一方、ＬＥＤ１０５のアノードは、ピクセル駆動トランジスタ（たとえば、スイッチ１４２）に接続される。スイッチ１４２はノード１５２にも接続され、ノード１５２はスイッチ１４４及び１４８にも接続される。スイッチ１４２は、ノード１５４を介して、列ドライバ１０８（スイッチ１４６及びノード１５６を経由する）及びキャパシタ１３０によってオン／オフされる。
【０００４】
スイッチ１４８は、ノード１５６に接続され、行ドライバ１１５（ノード１５８を経由する）によってオン／オフされる。ノード１５６はスイッチ１４６にも接続され、スイッチ１４６は、行ドライバ１１５（ノード１５８を経由する）によってオン／オフされる。
ピクセル１００は、スイッチ１４４、キャパシタ１３０及び電圧源１２５の正の端子（負の端子は接地される）に接続されるノード１６０も含む。スイッチ１４４は、行ドライバ１１０に接続され、行ドライバ１１０によってオン／オフされる。
【０００５】
動作中に、行ドライバ１１５は、スイッチ１４６及び１４８をオンにして、ピクセル１００をプログラムする。スイッチ１４６がオンであるとき、列ドライバ１０８からの電流によりキャパシタ１３０が充電され、スイッチ１４２のゲートに電圧を与え、それによってスイッチ１４２がオンになる。スイッチ１４８及び１４２がそれぞれ、（スイッチ１４６と同時に）オンであるとき、列ドライバ１０８からの電流が（スイッチ１４２を介して）ＬＥＤ１０５に供給され、ＬＥＤ１０５が点灯する。
【０００６】
その後、行ドライバ１１５がスイッチ１４６及び１４８をオフにし、行ドライバ１１０がスイッチ１４４をオンにする（スイッチ１４２は、キャパシタ１３０によってオンのままである）。スイッチ１４２及び１４４がいずれもオンであるとき、電圧源１２５からの電流がＬＥＤ１０５に供給される。これは、そのサイクルの「保持（ホールド）」部分と呼ばれる。行ドライバ１１０がスイッチ１４４をオフにするまで、ＬＥＤ１０５は点灯したままである。
【０００７】
ＬＥＤ１０５の輝度は、ＬＥＤ１０５に供給される電流の大きさだけでなく、電流が供給される時間によっても決定される。すなわち、サイクル期間中にＬＥＤ１０５が電流を受ける時間が長いほど、ＬＥＤ１０５は明るく見える。同様に、ＬＥＤ１０５が電流を受ける時間が短くなると、ＬＥＤ１０５は薄暗く見える。
【０００８】
ピクセル１００のアレイを用いる従来のディスプレイ（図示せず）は、１サイクル期間中に、一度に１行のピクセルのアレイを照明する（行毎の一対の行ドライバ１１０及び１１５による）。さらに、照明されると、次のサイクル中に再プログラムされるまで、各行は照明されたままである。すなわち、サイクル毎に、行１が、第１の対の行ドライバを介して最初に照明され、その後、第２の対の行ドライバを介して、行２が照明され、その後、第３の対の行ドライバを介して、行３が照明される。この過程は、各行がそれぞれの対の行ドライバを介して照明されるまで継続され、各行は、そのサイクルを通じて照明されたままである。
【０００９】
図２に、複数の行に配列されているピクセル１００の従来のアレイのタイミング図２００を示す。タイミング図２００は１サイクル期間を示しており、その時間は典型的には約１６．６ミリ秒（ｍｓ）である。図示されるように、行１は時刻Ｔ０において照明され、そのサイクル期間の残りの時間にわたってオンに保持される。行１が照明された後に、行２がＴ０後の時刻ＴＲ（たとえば、０．５ｍｓ）において照明され、次のプログラミング時間までオンに保持される。上記に説明されたように、この過程は、アレイ内の全ての行が照明されるまで、行毎に繰り返される。
【００１０】
表示される情報（たとえば、グレーシェード）を保持しながら、ディスプレイの輝度を調光することは、電圧供給源１２０及び／又は１２５の振幅を変調することによって、又はサイクル期間よりも短い間隔で、電圧供給源１２５又は１０５のいずれかをオフにすることによって、実現することができる。これは、ＬＥＤ１０５の電流のパルス幅変調と呼ばれる。
行ドライバの各対が、１行ずつ、それぞれの行内のピクセル１００を照明するため、ＰＷＭが各行のプログラミング及び保持時間と適切に同期しない場合には、各行が、異なる長さの時間にわたって照明されることがある。さらに、スイッチ１４４をオン及びオフに切り替えることによって引き起こされる過渡現象によって、キャパシタ１３０上の電荷の量が変化し、それに応じて、スイッチ１４２を通るプログラムされた電流が変化するため、結果として、ＬＥＤ１０５の輝度が不所望に変化し、それによってＬＥＤ１０５のアレイの輝度が不均一になる。さらに、各ＬＥＤの輝度を制御する能力は、電流源によってＬＥＤに与えられる電流の量を正確に制御する能力によって制限される。
したがって、従来技術の方法に関連する問題を生じることなく、ピクセルのアレイの輝度を均一に調光する装置、システム及び方法を用いることが望ましい。
【発明の開示】
【発明が解決しようとする課題】
【００１１】
さらに、本発明の他の望ましい特徴及び特性は、添付の図面及び本発明のこの背景と共に考慮されると、本発明の後の詳細な説明及び添付の特許請求の範囲から明らかになるであろう。
【課題を解決するための手段】
【００１２】
本発明の種々の例示的な実施形態により、均一な輝度で調光することができるアクティブマトリックス発光ダイオードディスプレイ用のピクセルを提供する。１つのピクセルは、電圧源とグランドとの間に接続することができるＬＥＤを含む。そのピクセルは、ＬＥＤに接続される第１のパルス幅変調（ＰＷＭ）ドライバ及び第２のＰＷＭドライバも備える。
【００１３】
アクティブマトリックス発光ダイオードディスプレイ上のピクセルのアレイを調光するシステムも提供される。システムは、電圧源とグランドとの間に接続される複数の行を形成する複数のＬＥＤを備える。複数のＰＷＭドライバも含まれており、ＰＷＭドライバはそれぞれ、複数の行のうちの１つ行のＬＥＤそれぞれに接続される。複数の行それぞれの複数のＬＥＤのそれぞれには、グローバルＰＷＭドライバも接続される。
【００１４】
種々の例示的な実施形態は、アクティブマトリックス発光ダイオードディスプレイ上の複数の行を形成するピクセルのアレイを調光する方法も提供する。１つの方法は、第１のＰＷＭドライバを介して、１サイクルの第１の部分期間にわたって、ＬＥＤの第１の行の各ＬＥＤに電流を供給すること、及び第２のＰＷＭドライバを介して、そのサイクルの第２の部分期間にわたって、第１の行の各ＬＥＤに電流を供給することを含む。
【発明を実施するための最良の形態】
【００１５】
以下、添付の図面との関連で本発明を説明する。なお、図面では、類似の番号は類似の構成要素を表す。
本発明の以下の詳細な説明は実際には例示にすぎず、本発明、並びに本発明の応用形態及び用途を限定することは意図していない。さらに、上記の背景技術及び本発明の以下の詳細な説明において提示されるいかなる理論によっても限定されることは意図していない。
【００１６】
図３は、アクティブマトリックス発光ダイオード（ＡＭＬＥＤ）ディスプレイのピクセル３００の１つの例示的な実施形態の回路図である。ピクセル３００は、図１のＬＥＤ１０５と、列ドライバ１０８と、行ドライバ１１５と、電圧源１２０及び１２５と、キャパシタ１３０と、スイッチ１４２、１４４、１４６及び１４８とそれぞれ同じように構成される、発光ダイオード（ＬＥＤ）３０５（たとえば、有機ＬＥＤ又は他のタイプのＬＥＤ）と、列ドライバ３０８と、行ドライバ３１５と、電圧源３２０及び３２５と、キャパシタ３３０と、スイッチ３４２、３４４、３４６及び３４８（たとえば、半導体スイッチ）とを備える。
【００１７】
ピクセル３００は、スイッチ３４４とグランドとに接続されるパルス幅変調器（ＰＷＭ）３７５も備える。ＰＷＭ３７５は、スイッチ３４４をオン／オフするように構成され、行ドライバ３１５がＬＥＤ３０５を通る電流をプログラムできるようにした後に、所望の調光レベルに応じて、ＬＥＤ３０５が、そのサイクルの一部期間又は残りの部分期間のいずれかにわたって点灯されるようにする。
【００１８】
図４は、本発明の別の例示的な実施形態による、ＡＭＬＥＤディスプレイのピクセル４００の回路図である。ピクセル４００は、図３のＬＥＤ３０５と、電圧源３２０及び３２５と、キャパシタ３３０と、スイッチ３４２及び３４４と、ＰＷＭ３７５とそれぞれ同じように構成される、ＬＥＤ４０５（たとえば、有機ＬＥＤ又は他のタイプのＬＥＤ）と、電圧源４２０及び４２５と、キャパシタ４３０と、スイッチ４４２及び４４４（たとえば、半導体スイッチ）と、ＰＷＭ４７５とを備える。
【００１９】
ピクセル４００は、ノード４５４に接続されるスイッチ４４７（たとえば、半導体スイッチ）も備える。スイッチ４４７も、行ドライバ３１５（図３を参照）に類似の行ドライバ４１５に接続され、行ドライバ４１５によってオン／オフされる。さらに、スイッチ４４７は、列ドライバ３０８（図３を参照）に類似の列ドライバ４０８に接続され、スイッチ４４７がオンであるときに、列ドライバ４０８からの電圧がキャパシタ４３０を充電し、スイッチ４４２を起動できるように構成される。
【００２０】
本発明の種々の実施形態が、ピクセル５００（たとえば、ピクセル３００及び４００）のアレイ５１０を含むＡＭＬＥＤディスプレイ５５０（図５を参照）を提供する。アレイ５１０は、複数の行５１５及び列５２０に配列される。各行の照明は異なるＰＷＭ５７５によって制御され、１行ずつ照明される。従来のディスプレイとは対照的に、各ＰＷＭ５７５は、ディスプレイのリフレッシュサイクル内の異なる時点において、同じ長さの時間にわたって各行５１５を照明するように構成される。
【００２１】
たとえば、１５行のピクセル５００を含むディスプレイは、１．０ｍｓ毎に１つの行を照明する。すなわち、行５１５１は、時刻Ｔ０から９ｍｓにわたって（すなわち、Ｔ０の９ｍｓ後まで）照明されることができる。時刻Ｔ１（すなわち、Ｔ０の１．０ｍｓ後）では、行５１５２が９ｍｓにわたって（すなわち、Ｔ０の１０ｍｓ後まで）照明される。この過程は、行５１５１５がＴ１５（たとえば、Ｔ０の１５ｍｓ後）から９ｍｓにわたって（すなわち、Ｔ０の２４ｍｓ後まで）照明されるまで継続される。この例では、サイクル周期は１６ｍｓであるため、行５１５１５内のピクセルは、後続のディスプレイサイクルの中で８ｍｓ間、発光を継続する。
【００２２】
図６は、ＡＭＬＥＤディスプレイ５５０の１つの例示的なタイミング図６００である。図６では、各行５１５は、それぞれのＰＷＭ５７５によって各行に供給されるＰＷＭパルスによって起動されるように、同じ長さの時間（たとえば、９ｍｓ）にわたって照明される。ＰＷＭ５７５を同期させることによって、各行内の全てのピクセルが、所望の長さの時間（たとえば、９ｍｓ）にわたってオンにされ、いずれの行のプログラミング時間中にも切り替えられないことが確実になる。
【００２３】
上記の例は、本発明を、図３〜図５を参照しながら開示される１５行及び／又はタイミング方式（１．０ｍｓ間隔、９ｍｓの照明時間等）に限定することは意図していない。代わりに、当業者は、図３〜図５を参照しながら開示される原理を、任意の数の行及び／又は無数のタイミング方式を含むディスプレイに対して適用することができる。
【００２４】
図７は、ピクセル７００がプログラムされていないブランキング期間中の付加的な照明時間を利用する、ＡＭＬＥＤディスプレイのピクセル７００の１つの例示的な実施形態の回路図である。ピクセル７００は、図３のＬＥＤ３０５と、列ドライバ３０８と、行ドライバ３１５と、電圧源３２０及び３２５と、キャパシタ３３０と、スイッチ３４２、３４４、３４６及び３４８と、ＰＷＭ３７５とそれぞれ同じように構成される、ＬＥＤ７０５（たとえば、有機ＬＥＤ又は他のタイプのＬＥＤ）と、列ドライバ７０８と、行ドライバ７１５と、電圧源７２０及び７２５と、キャパシタ７３０と、スイッチ７４２、７４４、７４６及び７４８（たとえば、半導体スイッチ）と、ＰＷＭ７７５とを備える。
【００２５】
ピクセル７００は、電圧源７２５とノード７６０との間に接続され、グローバルＰＷＭ７８５に接続されるスイッチ７８０（たとえば、半導体スイッチ）も備える。ＰＷＭ７８５はスイッチ７８０をオン／オフするように構成され、電圧源７２５からの電流がＬＥＤ７０５に流れることができるようにする。１つの例示的な実施形態によれば、ＰＷＭ７８５は、ブランキング期間の少なくとも一部にわたって、スイッチ７８０をオンにするように構成される。すなわち、ピクセルがプログラムされていないブランキング期間中に、電圧源７２５からＬＥＤ７０５に電流が供給され、それによって、ＬＥＤ７０５がブランキング期間中に点灯される。さらに、ＰＷＭ７８５は、ブランキング期間中に、後にさらに説明されるように、ディスプレイ上のピクセル７００毎にスイッチ７８０をオンにするため、グローバルＰＷＭである。
【００２６】
図８は、ＡＭＬＥＤディスプレイのピクセル８００の１つの例示的な実施形態の回路図である。ピクセル８００は、図７のＬＥＤ７０５と、電圧源７２０及び７２５と、キャパシタ７３０と、スイッチ７４２及び７４４と、ＰＷＭ７７５と、グローバルＰＷＭ７８５とそれぞれ同じように構成される、ＬＥＤ８０５（たとえば、有機ＬＥＤ又は他のタイプのＬＥＤ）と、電圧源８２０及び８２５と、キャパシタ８３０と、スイッチ８４２及び８４８（たとえば、半導体スイッチ）と、ＰＷＭ８７５と、グローバルＰＷＭ８８５とを備える。
【００２７】
ピクセル８００は、ノード８５４に接続されるスイッチ８４７（たとえば、半導体スイッチ）も備える。スイッチ８４７は、行ドライバ４１５（図４を参照）に類似の行ドライバ８１５に接続され、行ドライバ８１５によってオン／オフされる。さらに、スイッチ８４７は、列ドライバ４０８（図４を参照）に類似の列ドライバ８０８にも接続され、スイッチ８４７がオンであるときに、列ドライバ８０８からの電圧がキャパシタ８３０を充電し、スイッチ８４２を（ノード８５４を介して）起動できるように構成される。ピクセル８００の動作は、ピクセル４００の動作に類似している。
【００２８】
図９は、ＡＭＬＥＤディスプレイのピクセル９００の１つの例示的な実施形態の回路図である。ピクセル９００は、図３のＬＥＤ３０５と、列ドライバ３０８と、行ドライバ３１５と、電圧源３２０及び３２５と、キャパシタ３３０と、スイッチ３４２、３４４、３４６及び３４８と、ＰＷＭ３７５とそれぞれ同じように構成される、ＬＥＤ９０５（たとえば、有機ＬＥＤ又は他のタイプのＬＥＤ）と、列ドライバ９０８と、行ドライバ９１５と、電圧源９２０及び９２５と、キャパシタ９３０と、スイッチ９４２、９４４、９４６及び９４８（たとえば、半導体スイッチ）と、ＰＷＭ９７５とを備える。
【００２９】
ピクセル９００は、ＬＥＤ９０５と電圧源９２０との間に接続され、グローバルＰＷＭ９８５に接続されるスイッチ９８０（たとえば、半導体スイッチ）も備える。ＰＷＭ９８５は、スイッチ９８０をオン／オフするように構成され、電圧源９２０への電流がＬＥＤ９０５を通って流れることができるようにする。１つの例示的な実施形態によれば、ＰＷＭ９８５は、ブランキング期間の少なくとも一部にわたって、スイッチ９８０をオンにするように構成される。すなわち、ブランキング期間中にＬＥＤ９０５を通って電圧源９２０まで電流が流れ、それによって、ブランキング期間中にＬＥＤ９０５が点灯される。さらに、ＰＷＭ９８５は、ブランキング期間中にディスプレイ上のピクセル９００毎にスイッチ９８０をオンにするため、グローバルＰＷＭである（たとえば、図１３を参照）。
【００３０】
図１０は、ＡＭＬＥＤディスプレイのピクセル１０００の１つの例示的な実施形態の回路図である。ピクセル１０００は、図４のＬＥＤ４０５と、電圧源４２０及び４２５と、キャパシタ４３０と、スイッチ４４２及び４４４と、ＰＷＭ４７５と、グローバルＰＷＭ４８５とそれぞれ同じように構成される、ＬＥＤ１００５（たとえば、有機ＬＥＤ又は他のタイプのＬＥＤ）と、電圧源１０２０及び１０２５と、キャパシタ１０３０と、スイッチ１０４２及び１０４４（たとえば、半導体スイッチ）と、ＰＷＭ１０７５と、グローバルＰＷＭ１０８５とを備える。
【００３１】
ピクセル１０００は、ノード１０５４に接続されるスイッチ１０４７（たとえば、半導体スイッチ）も備える。スイッチ１０４７は、行ドライバ４１５（図４を参照）に類似の行ドライバ１０１５に接続され、行ドライバ１０１５によってオン／オフされる。さらに、スイッチ１０４７は、列ドライバ４０８（図４を参照）に類似の列ドライバ１００８に接続され、スイッチ１０４７がオンであるときに、列ドライバ１００８からの電圧がキャパシタ１０３０を充電し、スイッチ１０４２を（ノード１０５４を介して）起動できるように構成される。
【００３２】
図１１は、ＡＭＬＥＤディスプレイのピクセル１１００の１つの例示的な実施形態の回路図である。ピクセル１１００は、図３のＬＥＤ３０５と、列ドライバ３０８と、行ドライバ３１５と、電圧源３２０及び３２５と、キャパシタ３３０と、スイッチ３４２、３４４、３４６及び３４８と、ＰＷＭ３７５とそれぞれ同じように構成される、ＬＥＤ１１０５（たとえば、有機ＬＥＤ又は他のタイプのＬＥＤ）と、列ドライバ１１０８と、行ドライバ１１１５と、電圧源１１２０及び１１２５と、キャパシタ１１３０と、スイッチ１１４２、１１４４、１１４６及び１１４８（たとえば、半導体スイッチ）と、ＰＷＭ１１７５とを備える。
【００３３】
ピクセル１１００は、スイッチ１１４４に接続されるグローバルＰＷＭ１１８５も備える。ＰＷＭ１１８５は、スイッチ１１４４をオン／オフするように構成され、電圧源１１２５からの電流がＬＥＤ１１０５まで流れることができるようにする。１つの例示的な実施形態によれば、ＰＷＭ１１８５は、ブランキング期間の少なくとも一部にわたって、スイッチ１１４４をオンにするように構成される。すなわち、ブランキング期間中に、電圧源１１２５からＬＥＤ１１０５に電流が供給され、それによって、ブランキング期間中にＬＥＤ１１０５が点灯される。さらに、ＰＷＭ１１８５は、ブランキング期間中にディスプレイ上のピクセル１１００毎にスイッチ１１４４をオンにするため（たとえば、図１３を参照）、グローバルＰＷＭである。
【００３４】
図１２は、ＡＭＬＥＤディスプレイのピクセル１２００の１つの例示的な実施形態の回路図である。ピクセル１２００は、図４のＬＥＤ４０５と、電圧源４２０及び４２５と、キャパシタ４３０と、スイッチ４４２及び４４４と、ＰＷＭ４７５と、グローバルＰＷＭ４８５とそれぞれ同じように構成される、ＬＥＤ１２０５（たとえば、有機ＬＥＤ又は他のタイプのＬＥＤ）と、電圧源１２２０及び１２２５と、キャパシタ１２３０と、スイッチ１２４２及び１２４４（たとえば、半導体スイッチ）と、ＰＷＭ１２７５と、グローバルＰＷＭ１２８５とを備える。
【００３５】
ピクセル１２００は、ノード１２５４に接続されるスイッチ１２４７（たとえば、半導体スイッチ）も備える。スイッチ１２４７は、行ドライバ４１５（図４を参照）に類似の行ドライバ１２１５にも接続され、行ドライバ１２１５によってオン／オフされる。さらに、スイッチ１２４７は、列ドライバ４０８（図４を参照）に類似の列ドライバ１２０８に接続され、スイッチ１２４７がオンであるときに、列ドライバ１２０８からの電圧がキャパシタ１２３０を充電し、スイッチ１２４２を（ノード１２５４を介して）起動できるように構成される。
【００３６】
本発明の種々の実施形態により、ピクセル１３００（たとえば、ピクセル６００、７００、８００、９００、１０００、１１００及び１２００）のアレイ１３１０を含むＡＭＬＥＤディスプレイ１３５０（図１３を参照）も提供する。アレイ１３１０は、複数の行１３１５及び列１３２０に配列される。各行１３１５の照明は、異なるＰＷＭ１３７５（たとえば、ＰＷＭ６７５、７７５、８７５、９７５、１０７５、１１７５及び１２７５）によって制御され、１行ずつ照明される。従来のディスプレイとは対照的に、各ＰＷＭ１３７５は、行のプログラミング間隔に基づいて、ディスプレイのリフレッシュサイクル内の異なる時点において同じ長さの時間にわたって各行１３１５を照明するように構成される。さらに、グローバルＰＷＭ１３８５（たとえば、ＰＷＭ６８５、７８５、８８５、９８５、１０８５、１１８５及び１２８５）が、ブランキング期間の少なくとも一部期間にわたって、各行１３１５の各ピクセル１３００を照明するように構成される。
【００３７】
たとえば、１５行のピクセル１３００を含むディスプレイは、行毎のＰＷＭ１３７５を介して、１．０ｍｓ毎に１つの行を照明する。すなわち、行１３１５１は、ＰＷＭ１３７５１によって、時刻Ｔ０から１３ｍｓにわたって（すなわち、Ｔ０の１３ｍｓ後まで）照明されることができる。時刻Ｔ１（すなわち、Ｔ０の１．０ｍｓ後）では、行１３１５２が、ＰＷＭ１３７５２によって、１３ｍｓにわたって（すなわち、Ｔ０の１４ｍｓ後まで）照明される。この過程は、行１３１５１５が、ＰＷＭ１３７５１５によって、Ｔ１５（たとえば、Ｔ０の１４ｍｓ後）から１３ｍｓにわたって（すなわち、Ｔ０の２７ｍｓ後、又は次のディスプレイサイクル期間の開始から１１ｍｓ後まで）照明されるまで継続される。ブランキング期間中（ディスプレイのサイクル期間の終了時）に、各ピクセル１３００はオフにされ、グローバルＰＷＭ１３８５（たとえば、ＰＷＭ６８５、７８５、８８５、９８５、１０８５、１１８５及び１２８５）が、ブランキング期間の少なくとも一部（たとえば、０ｍｓ〜１．０ｍｓ）にわたって、各ピクセル１３００を照明する。
【００３８】
図１４は、ＡＭＬＥＤディスプレイ１３００の１つの例示的なタイミング図１４００である。図１４では、各行１３１５が、同じ長さの時間（たとえば、９ｍｓ）にわたって照明されるが、各行１３１５の開始時刻及び終了時刻は異なる。ブランキング期間中に、ピクセル１３００はそれぞれオフにされ、その後、グローバルＰＷＭ１３８５（たとえば、ＰＷＭ６８５、７８５、８８５、９８５、１０８５、１１８５及び１２８５）が、０．６ｍｓのブランキング期間の少なくとも一部（たとえば、０．２ｍｓ）にわたって、各ピクセル１３００を照明する。
【００３９】
図１５は、ＡＭＬＥＤディスプレイ１３００の別の例示的なタイミング図１５００である。図１５では、ディスプレイサイクル期間が、複数の部分（たとえば、８．６ｍｓ部分及び８ｍｓ部分）に分割される。各行３１５は、第１の部分の一部期間（たとえば、５．５ｍｓ）にわたって照明されるが、各行１３１５の開始時刻及び終了時刻は異なる。
第２の部分期間（長いブランキング期間を表す）は、グローバル調光間隔として用いられる。グローバル調光間隔中に、ピクセル１３００はそれぞれオフにされ、その後、グローバルＰＷＭ１３８５（たとえば、ＰＷＭ６８５、７８５、８８５、９８５、１０８５、１１８５及び１２８５）が８．６ｍｓの第２の部分期間の少なくとも一部（たとえば、６ｍｓ）にわたって、各ピクセル１３００を照明する。
【００４０】
上記の例は、本発明を、図６〜図１５を参照しながら説明した１５行及び／又はタイミング方式（たとえば、１．０ｍｓ又は０．５ｍｓ間隔、０．６ｍｓ又は８．６ｍｓブランキング期間、１６．６ｍｓディスプレイサイクル期間、５．５ｍｓ又は９ｍｓ照明時間等）を含むディスプレイに限定するものではない。その代わりに、当業者は、図６〜図１５を参照しながら開示される原理を、任意の数の行及び／又は無数のタイミング方式を含むディスプレイに対して適用することができる。
【００４１】
少なくとも１つの例示的な実施形態が、本発明の上記の詳細な説明において提示されてきたが、莫大な数の変形形態が存在することは理解されるであろう。また、１つ又は複数の例示的な実施形態は例示にすぎず、本発明の範囲、適用可能性又は構成を限定することは決して意図していない。むしろ、上記の詳細な説明は、当業者に、本発明の例示的な実施形態を実現するための便利な道筋を提供するであろう。添付の特許請求の範囲に述べられるような本発明の範囲から逸脱することなく、例示的な実施形態に説明される機能及び構成要素の配列に関して種々の変更を加えることができることは理解されるであろう。
【図面の簡単な説明】
【００４２】
【図１】アクティブマトリックス発光ダイオード（ＡＭＬＥＤ）ディスプレイの従来技術のピクセルの回路図である。
【図２】図１のピクセルのアレイを含むディスプレイの動作タイミング図である。
【図３】本発明の１つの例示的な実施形態による、ＡＭＬＥＤディスプレイのピクセルの回路図である。
【図４】本発明の別の例示的な実施形態による、ＡＭＬＥＤディスプレイのピクセルの回路図である。
【図５】複数の行及び列に配列される図３又は図４のピクセルのアレイを含む、ＡＭＬＥＤディスプレイの１つの例示的な実施形態の回路図である。
【図６】図５のＡＭＬＥＤディスプレイの１つの例示的な動作タイミング図である。
【図７】本発明の１つの例示的な実施形態による、ＡＭＬＥＤディスプレイのピクセルの回路図である。
【図８】本発明の別の例示的な実施形態による、ＡＭＬＥＤディスプレイのピクセルの回路図である。
【図９】本発明の１つの例示的な実施形態による、ＡＭＬＥＤディスプレイのピクセルの回路図である。
【図１０】本発明の別の例示的な実施形態による、ＡＭＬＥＤディスプレイのピクセルの回路図である。
【図１１】本発明の１つの例示的な実施形態による、ＡＭＬＥＤディスプレイのピクセルの回路図である。
【図１２】本発明の別の例示的な実施形態による、ＡＭＬＥＤディスプレイのピクセルの回路図である。
【図１３】複数の行及び列に配列される図７、図８、図９、図１０、図１１又は図１２のピクセルのアレイを含む、ＡＭＬＥＤディスプレイの１つの例示的な実施形態の回路図である。
【図１４】図１３のＡＭＬＥＤディスプレイの１つの例示的な動作タイミング図である。
【図１５】図１３のＡＭＬＥＤディスプレイの別の例示的な動作タイミング図である。
【図１】
0005599555.tif 000002
【図２】
0005599555.tif 000003
【図３】
0005599555.tif 000004
【図４】
0005599555.tif 000005
【図５】
0005599555.tif 000006
【図６】
0005599555.tif 000007
【図７】
0005599555.tif 000008
【図８】
0005599555.tif 000009
【図９】
0005599555.tif 000010
【図１０】
0005599555.tif 000011
【図１１】
0005599555.tif 000012
【図１２】
0005599555.tif 000013
【図１３】
0005599555.tif 000014
【図１４】
0005599555.tif 000015
【図１５】
0005599555.tif 000016